(57)【要約】【課題】断裁時における冊子基材のシワや歪み等を防止して断裁不良を抑制し、冊子基材を断裁する際の作業効率を良好なものとし、小口角部の切り落し精度を良好なものとすることを課題とする。【解決手段】冊子基材１０の背部１１に対して略垂直方向に冊子基材１０を断裁する天地断裁刃３１であって、冊子基材１０における背部１１の反対に位置する小口端１２を断裁することによって形成される小口部１２ａと冊子基材１０の背部１１に対して略垂直方向に冊子基材１０を断裁することによって形成される第一端部１３ａとがなす第一小口角部１５、および、前記小口部１２ａと冊子基材１０の背部１１に対して略垂直方向に冊子基材１０を断裁することによって形成される第二端部１４ａとがなす第二小口角部１６、を断裁する角処理部３１ｃを、小口端側の端部に形成した。【選択図】図３
2010110854.tif 000002
【特許請求の範囲】
【請求項１】
冊子基材の背部に対して略垂直方向に冊子基材を断裁する天地断裁刃であって、
冊子基材における背部の反対に位置する小口端を断裁することによって形成される小口部と冊子基材の背部に対して略垂直方向に冊子基材を断裁することによって形成される第一端部とがなす第一小口角部、および、前記小口部と冊子基材の背部に対して略垂直方向に冊子基材を断裁することによって形成される第二端部とがなす第二小口角部、を断裁する角処理部を、小口端側の端部に形成した天地断裁刃。
【請求項２】
前記角処理部は、前記天地断裁刃の本体部を中心として天端側および地端側に延出するように形成したことを特徴とする、請求項１に記載の天地断裁刃。
【請求項３】
冊子基材における背部の反対に位置する小口端を断裁する小口断裁刃と、
冊子基材における背部に対して略垂直方向に冊子基材を断裁する天地断裁刃と、
を具備する冊子断裁装置において、
前記天地断裁刃は、前記冊子基材における背部の反対に位置する小口端を断裁することによって形成される小口部と前記冊子基材における背部に対して略垂直方向に冊子基材を断裁することによって形成される第一端部とがなす第一小口角部、および、前記小口部と前記冊子基材における背部に対して略垂直方向に冊子基材を断裁することによって形成される第二端部とがなす第二小口角部、を断裁する角処理刃部を、小口端側の端部に形成したことを特徴とする冊子断裁装置。
【請求項４】
前記天地断裁刃は、
第一天地断裁刃と、第二天地断裁刃と、第三天地断裁刃とからなり、
前記第一天地断裁刃は、天端側に配置され、
前記第二天地断裁刃は、地端側に、且つ、前記第一天地断裁刃と略平行に配置され、
前記第三天地断裁刃は、前記第一天地断裁刃と前記第二天地断裁刃との間に、且つ、前記第一天地断裁刃と略平行に、単数もしくは複数配置されることを特徴とする、請求項３に記載の冊子断裁装置。
【請求項５】
冊子基材における背部の反対に位置する小口端を断裁することによって、小口部を形成する、小口部形成工程と、
冊子基材の背部に対して略垂直方向に冊子基材を断裁することによって、第一端部および第二端部を形成する第一・第二端部形成工程と、
を具備する冊子製造方法において、
前記第一・第二端部形成工程は、前記小口部と前記第一端部とがなす第一小口角部、および、前記小口部と前記第二端部とがなす第二小口角部、を断裁する角処理部を、小口端側の端部に形成した天地断裁刃によって行うことを特徴とする冊子製造方法。
【請求項６】
前記天地断裁刃は、
第一天地断裁刃と、第二天地断裁刃と、第三天地断裁刃とからなり、
前記第一天地断裁刃は、天端側に配置され、
前記第二天地断裁刃は、地端側に配置され、
前記第三天地断裁刃は、第一天地断裁刃と、第二天地断裁刃との間に単数もしくは複数配置され、
前記第一天地断裁刃、前記第二天地断裁刃、および、前記第三天地断裁刃、における刃部の高さが、略同一の高さに保持されながら、冊子基材の断裁を行うことを特徴とする、請求項５に記載の冊子製造方法。
【発明の詳細な説明】
【技術分野】
【０００１】
本発明は、冊子基材を断裁する天地断裁刃、冊子断裁装置、および、冊子製造方法の技術に関する。
【背景技術】
【０００２】
従来、Ｕ字状の断裁刃を用いて、冊子基材における、小口側、天側、地側、および、小口両角を断裁する技術は知られている。
また、冊子基材の天側および地側を断裁する断裁刃、および、小口側を断裁する断裁刃を具備する三方断裁装置は公知となっている。例えば特許文献１の如くである。
【特許文献１】特開２００５−１５３０７５号公報
【発明の開示】
【発明が解決しようとする課題】
【０００３】
しかしながら、従来におけるＵ字状の断裁刃を用いて冊子基材を断裁する技術においては、断裁の際に冊子基材にシワや歪み等が起こり、断裁不良が発生するものである。
【０００４】
また、従来における、三方断裁装置に関する技術においては、冊子基材における、小口側、天側、および、地側の三方を断裁した後に、別工程として小口角部が断裁される。このため、冊子基材を断裁する際の作業効率が悪く、また、小口角部の断裁精度にバラツキが生じるものである。
【０００５】
本発明は以上のような状況を鑑みてなされたものであり、断裁時における冊子基材のシワや歪み等を防止して断裁不良を抑制し、冊子基材を断裁する際の作業効率を良好なものとし、小口角部の切り落し精度を良好なものとすることを目的とする。
【課題を解決するための手段】
【０００６】
本発明の解決しようとする課題は以上の如くであり、次にこの課題を解決するための手段を説明する。
【０００７】
即ち、請求項１においては、冊子基材の背部に対して略垂直方向に冊子基材を断裁する天地断裁刃であって、冊子基材における背部の反対に位置する小口端を断裁することによって形成される小口部と冊子基材の背部に対して略垂直方向に冊子基材を断裁することによって形成される第一端部とがなす第一小口角部、および、前記小口部と冊子基材の背部に対して略垂直方向に冊子基材を断裁することによって形成される第二端部とがなす第二小口角部、を断裁する角処理部を、小口端側の端部に形成したものである。
【０００８】
請求項２においては、前記角処理部は、前記天地断裁刃の本体部を中心として天端側および地端側に延出するように形成したものである。
【０００９】
請求項３においては、冊子基材における背部の反対に位置する小口端を断裁する小口断裁刃と、冊子基材における背部に対して略垂直方向に冊子基材を断裁する天地断裁刃と、を具備する冊子断裁装置において、前記天地断裁刃は、前記冊子基材における背部の反対に位置する小口端を断裁することによって形成される小口部と前記冊子基材における背部に対して略垂直方向に冊子基材を断裁することによって形成される第一端部とがなす第一小口角部、および、前記小口部と前記冊子基材における背部に対して略垂直方向に冊子基材を断裁することによって形成される第二端部とがなす第二小口角部、を断裁する角処理部を、小口端側の端部に形成したものである。
【００１０】
請求項４においては、前記天地断裁刃は、第一天地断裁刃と、第二天地断裁刃と、第三天地断裁刃とからなり、前記第一天地断裁刃は、天端側に配置され、前記第二天地断裁刃は、地端側に、且つ、前記第一天地断裁刃と略平行に配置され、前記第三天地断裁刃は、前記第一天地断裁刃と前記第二天地断裁刃との間に、且つ、前記第一天地断裁刃と略平行に、単数もしくは複数配置されるものである。
【００１１】
請求項５においては、冊子基材における背部の反対に位置する小口端を断裁することによって、小口部を形成する、小口部形成工程と、冊子基材の背部に対して略垂直方向に冊子基材を断裁することによって、第一端部および第二端部を形成する第一・第二端部形成工程と、を具備する冊子製造方法において、前記第一・第二端部形成工程は、前記小口部と前記第一端部とがなす第一小口角部、および、前記小口部と前記第二端部とがなす第二小口角部、を断裁する角処理部を、小口端側の端部に形成した天地断裁刃によって行うものである。
【００１２】
請求項６においては、前記天地断裁刃は、第一天地断裁刃と、第二天地断裁刃と、第三天地断裁刃とからなり、前記第一天地断裁刃は、天端側に配置され、前記第二天地断裁刃は、地端側に配置され、前記第三天地断裁刃は、第一天地断裁刃と、第二天地断裁刃との間に単数もしくは複数配置され、前記第一天地断裁刃、前記第二天地断裁刃、および、前記第三天地断裁刃、における刃部の高さが、略同一の高さに保持されながら、冊子基材の断裁を行うものである。
【発明の効果】
【００１３】
本発明の効果として、以下に示すような効果を奏する。
【００１４】
請求項１においては、天地断裁刃は、第一小口角部および第二小口角部を断裁する角処理部が小口端側の端部に形成されている。
このため、断裁時における冊子基材のシワや歪み等を防止して断裁不良を抑制し、冊子基材を断裁する際の作業効率を良好なものとし、小口角部の切り落し精度を良好なものとすることができる。
【００１５】
請求項２においては、角処理部は、前記天地断裁刃の本体部を中心として天端側および地端側に延出するように形成される。
このため、一つの冊子基材を断裁した複数の冊子をえる場合でも、断裁時における冊子基材のシワや歪み等を防止して断裁不良を抑制し、冊子基材を断裁する際の作業効率を良好なものとし、小口角部の切り落し精度を良好なものとすることができる。
【００１６】
請求項３においては、冊子基材の背部に対して略垂直方向に冊子基材を断裁する天地断裁刃は、第一小口角部および第二小口角部を断裁する角処理部が、小口端側の端部に形成されている。
このため、断裁時における冊子基材のシワや歪み等を防止して断裁不良を抑制し、冊子基材を断裁する際の作業効率を良好なものとし、小口角部の切り落し精度を良好なものとすることができる。
【００１７】
請求項４においては、天地断裁刃は、第一天地断裁刃と、第二天地断裁刃と、第三天地断裁刃とからなり、第一天地断裁刃は、天端側に配置され、第二天地断裁刃は、地端側に、且つ、前記第一天地断裁刃と略平行に配置され、第三天地断裁刃は、前記第一天地断裁刃と前記第二天地断裁刃との間に、且つ、前記第一天地断裁刃と略平行に、単数もしくは複数配置される。
このため、一つの冊子基材を断裁して複数の冊子をえる場合でも、断裁時における冊子基材のシワや歪み等を防止して断裁不良を抑制し、冊子基材を断裁する際の作業効率を良好なものとし、小口角部の切り落し精度を良好なものとすることができる。
【００１８】
請求項５においては、冊子基材の背部に対して略垂直方向に冊子基材を断裁することによって第一端部および第二端部を形成する第一・第二端部形成工程は、第一小口角部および第二小口角部を断裁する角処理部を、小口端側の端部に形成した天地断裁刃によって行う。
このため、断裁時における冊子基材のシワや歪み等を防止して断裁不良を抑制し、冊子基材を断裁する際の作業効率を良好なものとし、小口角部の切り落し精度を良好なものとすることができる。
【００１９】
請求項６においては、天地断裁刃は、第一天地断裁刃と、第二天地断裁刃と、第三天地断裁刃とからなり、第一天地断裁刃は天端側に配置され、第二天地断裁刃は地端側に配置され、第三天地断裁刃は第一天地断裁刃と第二天地断裁刃との間に単数もしくは複数配置され、第一天地断裁刃、第二天地断裁刃、および、第三天地断裁刃、における刃部の高さが、略同一の高さに保持されながら、冊子基材の断裁を行う。
このため、一つの冊子基材を断裁して複数の冊子をえる場合でも、断裁時における冊子基材のシワや歪み等を防止して断裁不良を抑制し、冊子基材を断裁する際の作業効率を良好なものとし、小口角部の切り落し精度を良好なものとすることができる。
【発明を実施するための最良の形態】
【００２０】
次に、発明の実施形態を説明する。
【００２１】
『冊子基材１０』および『冊子１０ａ』について図１および図２を用いて説明する。
『冊子基材１０』とは、図１（ａ）に示す如く、複数の同形状の紙材料を複数枚重ね合わせ、重ね合わせた前記紙材料の略中央をミシン縫いし、当該ミシン縫いした箇所で２つ折りにした状態のものをいう。以下において、このような状態の冊子基材１０（図１（ａ）参照）を冊子基材１０Ａと称する。
冊子基材１０Ａにおける２つ折りされている箇所を、冊子基材１０の背部１１という。冊子基材１０Ａにおける背部１１の反対に位置する箇所を小口端１２という。冊子基材１０Ａにおける背部１１に対して垂直方向の辺を、天端１３もしくは地端１４という。
なお、便宜上、以下において、冊子基材１０Ａにおける天端１３は、背部１１に対して垂直方向の辺であって、背部１１から小口端１２をみて左方の辺を示すものとする。また、冊子基材１０Ａにおける地端１４は、背部１１に対して垂直方向の辺であって、背部１１から小口端１２をみて右方の辺を示すものとする。
【００２２】
『冊子１０ａ』とは、図２（ｂ）に示す如く、冊子基材１０を断裁した状態のものをいう。
冊子基材１０Ａにおける背部１１の反対に位置する小口端１２を断裁することによって、冊子１０ａの小口部１２ａが形成される（図１（ｂ）参照）。
このように、冊子基材１０Ａの小口端１２を断裁した状態の冊子基材１０を、冊子基材１０Ｂと称する。
【００２３】
冊子基材１０Ｂにおける背部１１に対して略垂直方向に冊子基材１０Ｂを断裁することによって、冊子１０ａの第一端部１３ａもしくは第二端部１４ａが形成される。
具体的には、冊子基材１０Ｂの、天端１３、および、地端１４、および、天端１３と地端１４との間の２箇所を断裁する。なお、便宜上、当該略垂直方向に冊子基材１０Ｂを断裁した際における、天端側の端部を第一端部１３ａと、地端側の端部を第二端部１４ａと称する（図２（ａ）参照）。そして、小口部１２ａと第一端部１３ａとで、第一小口角部１５をなし、また、小口部１２ａと第二端部１４ａとで、第二小口角部１６をなす（図２（ａ）参照）。
このように、冊子基材１０Ｂにおける背部１１に対して略垂直方向に冊子基材１０Ｂを断裁した状態の冊子基材１０を冊子基材１０Ｃと称する。
【００２４】
冊子基材１０Ｃの第一小口角部１５および第二小口角部１６を角処理、つまりＲ状に断裁することにより、冊子１０ａの第一断裁角１５ａおよび第二断裁角１６ａが形成される。（図２（ｂ）参照）。
冊子１０ａの背部１１ａは、冊子基材１０の背部１１と同様に、複数の同形状の紙材料を複数枚重ね合わせ、重ね合わせた前記紙材料を略中央をミシン縫いし、当該ミシン縫いした箇所で２つ折りされている箇所が、冊子１０ａの背部１１ａとして構成される。
【００２５】
以上のようにして、冊子基材１０を断裁することにより、冊子１０ａをえることができる。つまり、冊子１０ａは、冊子基材１０Ａにおける小口端１２を断裁し、冊子基材１０Ｂにおける、天端１３、および、地端１４、および、天端１３と地端１４との間の２箇所を断裁し、冊子基材１０Ｃの第一小口角部１５および第二小口角部１６を、角処理した状態のものである。
【００２６】
次に本発明の実施形態に係る冊子断裁刃３１について、図３から図５を用いて以下に説明する。
天地断裁刃３１は、冊子基材１０Ｂの背部１１に対して略垂直方向に冊子基材１０Ｂを断裁するものである。また、天地断裁刃３１は、これと同時に、冊子基材１０Ｃの小口角部１５・１６を断裁するものである。
天地断裁刃３１は、冊子基材１０Ｃの小口部１２ａと第一端部１３ａとがなす第一小口角部１５、および、冊子基材１０Ｃの小口部１２ａと第二端部１４ａとがなす第二小口角部１６、を断裁する角処理部３１ｃを、小口端側の端部に形成したものである。
天地断裁刃３１は、金属製素材からなる部材である。
天地断裁刃３１は、第一天地断裁刃３１Ａと、第二天地断裁刃３１Ｂと、第三天地断裁刃３１Ｃとからなる。
【００２７】
第一天地断裁刃３１Ａは、図３に示す如く、主に、本体部３１Ａａと角処理部３１Ａｃとからなる。
本体部３１Ａａは、略垂直に立設させた平板状の部材の下端部に、本体刃部３１Ａｂを一体的に設けた構成となっている。
角処理部３１Ａｃは、その下端部に角処理刃部３１Ａｄを一体的に設けた構成となっている。
角処理部３１Ａｃは、平面視略四角形の一つの角を四分一円形に切り落した形状に構成されている。また、前記平面視略四角形における辺のうち切り落した角に接する一方の辺の長さは、本体部３１Ａａにおける平板状部分の厚さ方向の長さと略同一に形成される。
なお、以下において、便宜状、前記平面視略四角形における辺のうち切り落した角に接する一方の辺を、「一方の辺」と称する。また、前記平面視略四角形における辺のうち切り落した角に接する他方の辺を、「他方の辺」と称する。
他方の辺が地端側を向くように、また、一方の辺を本体部３１Ａａにおける小口端側に一致させるようにして、角処理部３１Ａｃは本体部３１Ａａに一体的に設けられている。
なお、角処理部３１Ａｃの他方の辺は、地端側を向くこととなるが、地端側に長く延出するものではなく、第一小口角部１５を断裁することができる程度に延出するものである。
本体刃部３１Ａｂにおける地端側の面および角処理刃部３１Ａｄの四分一円形に切り落した部分の面は、本体部３１Ａａおよび角処理部３１Ａｃの地端側の面にそって形成されている。本体刃部３１Ａｂにおける天端側の面および角処理刃部３１Ａｄの天端側の面は、本体刃部３１Ａｂおよび角処理刃部３１Ａｄの先端から、斜め上方に向かって形成されている。このようにして、第一天地断裁刃３１Ａの刃部３１Ａｂ・３１Ａｄは形成されている。
【００２８】
第二天地断裁刃３１Ｂは、図４に示す如く、第一天地断裁刃３１Ａにおける構成を、天地端側を対称にして構成したものである。
第二天地断裁刃３１Ｂは、主に、本体部３１Ｂａと角処理部３１Ｂｃとからなる。
本体部３１Ｂａは、略垂直に立設させた平板状の部材の下端部に、本体刃部３１Ｂｂを一体的に設けた構成となっている。
角処理部３１Ｂｃは、その下端部に角処理刃部３１Ｂｄを一体的に設けた構成となっている。
角処理部３１Ｂｃは、平面視略四角形の一つの角を四分一円形に切り落した形状に構成される。また、一方の辺の長さは、本体部３１Ｂａにおける平板状部分の厚さ方向の長さと略同一に形成される。
他方の辺が天端側を向くように、また、一方の辺を本体部３１Ｂｂにおける小口端側に一致させるようにして、角処理部３１Ｂｃは本体部３１Ｂａに一体的に設けられている。
なお、角処理部３１Ｂｃの他方の辺は、天端側を向くこととなるが、天端側に長く延出するものではなく、第二小口角部１６を断裁することができる程度に延出するものである。
本体刃部３１Ｂｂにおける天端側の面および角処理刃部３１Ｂｄの四分一円形に切り落した部分の面は、本体部３１Ｂａおよび角処理部３１Ｂｃの天端側の面にそって形成されている。本体刃部３１Ｂｂにおける地端側の面および角処理刃部３１Ｂｄの地端側の面は、本体刃部３１Ｂｂおよび角処理刃部３１Ｂｄの先端から、斜め上方に向かって形成されている。このようにして、第二天地断裁刃３１Ｂの刃部３１Ｂｂ・３１Ｂｄは形成されている。
【００２９】
第三天地断裁刃３１Ｃは、図５に示す如く、天地断裁刃３１Ａ・３１Ｂの本体部３１Ａａ・３１Ｂａを中心として、角処理部３１Ｃｃが天端側および地端側に延出するように形成されている。
具体的には、第一天地断裁刃３１Ａにおける本体部３１Ａａの天端側の面と、第二天地断裁刃３１Ｂにおける本体部３１Ｂａの地端測の面と、を一体的に形成したものである。
このように構成することで、第三天地断裁刃３１Ｃにおける本体刃部３１Ｃｂは正面視略逆Ｖ字状に形成されている。このことは、第一天地断裁刃３１Ａにおける本体刃部３１Ａｂの地端側の面および角処理刃部３１Ａｄの四分一円形に切り落した部分の面は、本体部３１Ａａおよび角処理部３１Ａｃの地端側の面にそって形成され、また、本体刃部３１Ａｂの天端側の面および角処理刃部３１Ａｄの天端側の面は、本体刃部３１Ａｂおよび角処理刃部３１Ａｄの先端から、斜め上方に向かって形成されており、さらに、第二天地断裁刃３１Ｂは、第一天地断裁刃３１Ａにおける構成を、天地端側を対称にして構成されているからである。
なお、天端側および地端側に延出する角処理部３１Ｃｃにおける２つの他方の辺は、天端側および地端側を向くこととなるが、天端側および地端側に長く延出するものではなく、第一小口角部１５および第二小口角部１６を断裁することができる程度に延出するものである。
【００３０】
以上のように、天地断裁刃３１Ａ・３１Ｂ・３１Ｃにおける本体部３１Ａａ・３１Ｂａ・３１Ｃａは、略垂直に立設させた平板状の部材の下端部に本体刃部３１Ａｂ・３１Ｂｂ・３１Ｃｂを一体的に設けた構成となっている。天地断裁刃３１Ａ・３１Ｂ・３１Ｃにおける角処理部３１Ａｃ・３１Ｂｃ・３１Ｃｃは、その下端部に角処理刃部３１Ａｄ・３１Ｂｄ・３１Ｃｄを一体的に設けた構成となっている。そして、当該本体部３１Ａａ・３１Ｂａ・３１Ｃａの小口端側の端部に、一体的に設けられている。
このため、天地断裁刃３１Ａ・３１Ｂ・３１Ｃにて冊子基材１０Ｂにおける背部１１に対して略垂直方向に冊子基材１０Ｂが断裁されると、冊子基材１０Ｃの第一端部１３ａもしくは第二端部１４ａが形成されることとなる。そして、これと同時に、冊子基材１０Ｃの第一小口角部１５もしくは第二小口角部１６も、天地断裁刃３１Ａ・３１Ｂ・３１Ｃの角処理刃部３１Ａｄ・３１Ｂｄ・３１Ｃｄによって断裁され、冊子１０ａの第一断裁角１５ａもしくは第二断裁角１６ａが形成されることとなる。
したがって、別工程として冊子基材１０Ｃの小口角部１５・１６を断裁することなく、冊子基材１０Ｂ・１０Ｃを断裁する際の作業効率を良好なものとし、冊子基材１０Ｃの小口角部１５・１６を切り落した形状（冊子１０ａの断裁角１５ａ・１６ａ）にバラツキがなく、その精度を良好なものとすることができる。
【００３１】
天地断裁刃３１Ａ・３１Ｂ・３１Ｃの角処理部３１Ａｃ・３１Ｂｃ・３１Ｃｃにおける他方の辺は、天端側もしくは地端側を向いているが、天端側もしくは地端側に長く延出するものではなく、第一小口角１５もしくは第二小口角１６を断裁することができる程度に延出するものである。即ち、天地断裁刃３１Ａ・３１Ｂ・３１Ｃにおける角処理部３１Ａｃ・３１Ｂｃ・３１Ｃｃの他方の辺の天端側もしくは地端側は開放状態にある。
このため、天地断裁刃３１Ａ・３１Ｂ・３１Ｃによって冊子基材１０Ｂ（１０Ｃ）を断裁しても、多くの小口部１２ａを断裁するものではない。
つまり、天地断裁刃３１Ａ・３１Ｂ・３１Ｃによって冊子基材１０Ｂを断裁する際は、小口端１２のみ、天端１３のみ、もしくは、地端１４のみを断裁する際に近い状態で冊子基材１０Ｂ（１０Ｃ）を断裁することとなる。
したがって、天地断裁刃３１Ａ・３１Ｂ・３１Ｃの構成が、天端１３もしくは地端１４を断裁すると同時に小口角部１５・１６を断裁することができる構成であっても、天地断裁刃３１Ａ・３１Ｂ・３１Ｃによって冊子基材１０Ｂ（１０Ｃ）を断裁する際における冊子基材１０Ｂ（１０Ｃ）のシワや歪み等を防止して断裁不良を抑制することができる。
【００３２】
また、天地断裁刃３１Ａ・３１Ｂの角処理部３１Ａｃ・３１Ｂｃは、平面視略四角形の一つの角を四分一円形に切り落した形状に構成されているが、当該切り落とした角の対角に位置する角は、切り落とされず、角処理部３１Ａｃ・３１Ｂｃに残存している。即ち、角処理部３１ｃは、当該残存部分が肉厚状に形成されている。第三天地断裁刃３１Ｃの角処理部３１Ｃｃは、第一天地断裁刃３１Ａの角処理部３１Ａｃと第二天地断裁刃３１Ｂの角処理部３１Ｂｃとを一体的に形成したものであり、肉厚状に形成されている。
このため、天地断裁刃３１Ａ・３１Ｂ・３１Ｃによって冊子基材１０Ｂ（１０Ｃ）を断裁した際に発生する摩擦熱は、当該肉厚状の残存部分で拡散されるため、当該摩擦熱によって角処理部３１Ａｃ・３１Ｂｃ・３１Ｃｃが容易に変形することが抑制されることとなる。また、このように角処理部３１Ａｃ・３１Ｂｃ・３１Ｃｃを肉厚状に形成することにより、外力によっても角処理部３１Ａｃ・３１Ｂｃ・３１Ｃｃが容易に変形することが抑制されることとなる。
したがって、小口角部１５・１６の切り落し精度を良好な状態で断裁することができる期間、即ち、天地断裁刃３１Ａ・３１Ｂ・３１Ｃの製品寿命を長期なものとすることができる。また、比較的硬い材質の冊子基材１０Ｂ（１０Ｃ）を天地断裁刃３１Ａ・３１Ｂ・３１Ｃによって断裁する際においても、小口角部１５・１６の切り落し精度を良好な状態とすることができる。
【００３３】
第三天地断裁刃３１Ｃは、第一天地断裁刃３１Ａにおける本体部３１Ａａの天端側の面と、第二天地断裁刃３１Ｂにおける本体部３１Ｂａの地端側の面と、を一体的に形成したものである。
このため、冊子基材１０Ｂを断裁した際には、冊子基材１０Ｃの第一小口角部１５と第二小口角部１６を同時に断裁することができる。
したがって、一つの冊子基材１０を断裁して複数の冊子１０ａをえるような場合であっても、断裁時における冊子基材１０Ｂ（１０Ｃ）のシワや歪み等を防止して断裁不良を抑制し、冊子基材１０Ｂ（１０Ｃ）を断裁する際の作業効率を良好なものとし、小口角部１５・１６の切り落し精度を良好なものとすることができる。
【００３４】
天地断裁刃３１Ａ・３１Ｂ・３１Ｃの角処理部３１Ａｃ・３１Ｂｃ・３１Ｃｃは、平面視略四角形の一つの角を略四分一円形に切り落した形状に構成されている。このため、天地断裁刃３１Ａ・３１Ｂ・３１Ｃで冊子基材１０Ｂ（１０Ｃ）の小口角部１５・１６を断裁した際には、冊子１０ａの断裁角１５ａ・１６ａは、Ｒ状に断裁されることとなる。
ただし、天地断裁刃３１Ａ・３１Ｂ・３１Ｃの角処理部３１Ａｃ・３１Ｂｃ・３１Ｃｃを、平面視略四角形の一つの角を略四分一円形に切り落した形状に構成することに特に限定するものではない。
例えば、天地断裁刃３１Ａ・３１Ｂ・３１Ｃの角処理部３１Ａｃ・３１Ｂｃ・３１Ｃｃを、平面視略四角形の一つの角を略４５度で切り落とすような場合であっても良いものとする。係る場合には、冊子１０ａの断裁角１５ａ・１６ａは、Ｃ状に断裁されることとなる。
なお、天地断裁刃３１Ａ・３１Ｂ・３１Ｃは、金属素材からなることに限定するものではない。
【００３５】
本発明の実施形態に係る冊子断裁装置１について、図６から図１０を用いて説明する。
なお、図６および図７において、白色矢印の方向を、冊子基材１０もしくは冊子１０ａの搬送方向とする。また、便宜上、図６において、冊子基材１０もしくは冊子１０ａの搬送方向に対して右側を天端側と、冊子基材１０もしくは冊子１０ａの搬送方向に対して左側を地端側とする。
【００３６】
図６および図７に示す如く、冊子断裁装置１は、主に、搬送路４０と、小口断裁部２０と、天地断裁部３０とで構成されている。
【００３７】
搬送路４０は、搬送ベルト４１を具備し、また、冊子基材１０を断裁する工程に応じて、冊子基材１０（冊子１０ａ）を上流側から下流側（矢印の方向）へ搬送する機構である。
【００３８】
小口断裁部２０において、冊子基材１０Ａの小口端１２は断裁される。
小口断裁部２０は、後述する天地断裁部３０より上流側に配置される。
小口断裁部２０は、主に、小口断裁刃２１と、固定刃２２と、背部ストッパ２３と、天地端ガイド２４と、押え板２５とで構成されている。
【００３９】
小口断裁刃２１は、その刃線が、冊子基材１０Ａの搬送方向に対して略垂直方向を向くように、且つ、搬送路４０の上方に配置される。小口断裁刃２１は、上下方向に移動可能に構成されている。
【００４０】
固定刃２２は、小口断裁刃２１の下方、且つ、搬送路４０面下に配置され、また当該位置に固定されている。
【００４１】
背部ストッパ２３は、小口断裁刃２１の下流側の所定位置に配置される。背部ストッパ２３は、上下方向に移動可能に構成されている。
【００４２】
天地端ガイド２４は、冊子基材１０Ａにおける天端１３から地端１４の間隔と略同一の間隔で、搬送路４０面上の天端側および地端側に配置される。
【００４３】
押え板２５は、小口断裁刃２１と背部ストッパ２３との間に配置される。押え板２５は、上下方向に移動可能に構成されている。
【００４４】
天地断裁部３０において、冊子基材１０Ｂの天端１３もしくは地端１４、および冊子基材１０Ｃの小口角部１５・１６が断裁される。
天地断裁部３０は、小口断裁部２０より下流側に配置される。
天地断裁部３０は、主に、天地断裁刃３１と、固定刃３２と、背部ストッパ３３と、天地端ガイド３４と、押え板３５とで構成されている。
【００４５】
本実施形態における天地断裁刃３１は、上述した第一天地断裁刃３１Ａと、第二天地断裁刃３１Ｂと、第三天地断裁刃３１Ｃによって構成されるものである。
このため、天地断裁刃３１の具体的構成についての説明を省略する。
【００４６】
天地断裁刃３１Ａ・３１Ｂ・３１Ｃは、その刃線が、冊子基材１０Ｂ（１０Ｃ）の搬送方向に対して略平行方向を向くように、且つ、搬送路４０の上方に配置される。天地断裁刃３１Ａ・３１Ｂ・３１Ｃは、上下方向に移動可能に構成されている。
【００４７】
第一天地断裁刃３１Ａは、天端側に配置される。
第二天地断裁刃３１Ｂは、地端側に、且つ、第一天地断裁刃３１Ａと略平行に配置される。
第三天地断裁刃３１Ｃは、第一天地断裁刃３１Ａと第二天地断裁刃３１Ｂとの間に、且つ、第一天地断裁刃３１Ａと第二天地断裁刃３１Ｂと略平行に配置される。また、第三天地断裁刃３１Ｃは、複数もしくは単数配置されるものであるが、本実施形態においては、第三天地断裁刃３１Ｃは２個配置されている。
そして、第一天地断裁刃３１Ａ、第二天地断裁刃３１Ｂ、および、第三天地断裁刃３１Ｃ、における刃部、即ち、本体刃部３１Ａｂ・３１Ｂｂ・３１Ｃｃｂおよび角処理刃部３１Ａｄ・３１Ｂｄ・３１Ｃｄの高さは、それぞれ略同一の高さに配置されている（図９（ａ）参照）。
【００４８】
固定刃３２は、天地断裁刃３１Ａ・３１Ｂ・３１Ｃの下方、且つ、搬送路４０面下に配置され、また当該位置に固定されている。
【００４９】
背部ストッパ３３は、第一天地断裁刃３１Ａと第三天地断裁刃３１Ｃと、および、第三天地断裁刃３１Ｃと第三天地断裁刃３１Ｃと、および、第三天地断裁刃３１Ｃと第二天地断裁刃３１Ｂと、の間であって、天地断裁刃３１Ａ・３１Ｂ・３１Ｃの下流側の所定位置に配置される。背部ストッパ３３は、上下方向に移動可能に構成されている。
【００５０】
天地端ガイド３４は、冊子基材１０Ｂにおける天端１３から地端１４の間隔と略同一の間隔で、搬送路４０面上の天端側および地端側に配置される。
【００５１】
押え板３５は、天地断裁刃３１Ａ・３１Ｂ・３１Ｃと背部ストッパ３３との間に配置される。押え板３５は、上下方向に移動可能に構成されている。
【００５２】
冊子断裁装置１によって、冊子基材１０が断裁される動作について説明する。
冊子断裁装置１における最上流側の搬送路４０上に載置された冊子基材１０Ａは、上流側から下流側に搬送される。
冊子断裁装置１の小口断裁部２０において、当該冊子基材１０Ａは、天地端ガイド２４によって冊子基材１０Ａの天地方向の位置決めが行われながら上流側から下流側へ搬送される。
背部ストッパ２３が下方に移動することにより、背部ストッパ２３と冊子基材１０Ａの背部１１とを当接させ、冊子基材１０Ａの下流側への搬送を所定の位置で停止させる。
押え板２５が下方に移動することにより、搬送が停止された当該冊子基材１０Ａは下方に押圧され、冊子基材１０Ａの位置を固定させる。
小口断裁刃２１が下方に移動することにより、固定刃２２と小口断裁刃２１とで、冊子基材１０Ａの小口端１２が断裁される（図８参照）。
冊子基材１０Ａの小口端１２の断裁を終えると、小口断裁刃２１、押え板２５、および、背部ストッパ２３は、上方に移動し、冊子基材１０Ｂは、搬送路４０によって下流側（天地断裁部３０）に搬送される。
【００５３】
冊子断裁装置１の天地断裁部３０において、天地端ガイド３４によって冊子基材１０Ｂの天地方向の位置決めが行われながら、冊子基材１０Ｂは上流側から下流側へ搬送される。
背部ストッパ３３が下方に移動することにより、背部ストッパ３３と、冊子基材１０Ｂの背部１１とが当接し、冊子基材１０Ｂの下流側への搬送を所定の位置で停止させる。
押え板３５が下方に移動することにより、搬送が停止された当該冊子基材１０Ｂを下方に押圧し、冊子基材１０Ｂの位置を固定させる。
天地断裁刃３１Ａ・３１Ｂ・３１Ｃが下方に移動することにより、固定刃３２と天地断裁刃３１Ａ・３１Ｂ・３１Ｃとで、冊子基材１０Ｂの天端１３、地端１４、および天端１３と地端１４との間の所定の２箇所が断裁される。
天地断裁刃３１Ａ・３１Ｂ・３１Ｃにおける小口端側の端部には角処理部３１Ａｃ・３１Ｂｃ・３１Ｃｃが形成されているため、係る天端１３、地端１４、および天端１３と地端１４との間の所定の２箇所を断裁する際に、冊子基材１０Ｃの第一小口角部１５、および、第二小口角部１６も断裁される（図１０参照）。
本体刃部３１Ａｂ・３１Ｂｂ・３１Ｃｂおよび角処理刃部３１Ａｄ・３１Ｂｄ・３１Ｃｄの高さが、それぞれ略同一の高さに配置されている、第一天地断裁刃３１Ａ、第二天地断裁刃３１Ｂ、および、第三天地断裁刃３１Ｃは、冊子基材１０Ｂ（１０Ｃ）を断裁する際においても、当該高さは保持されながら、冊子基材１０Ｂ（１０Ｃ）は断裁される（図９参照）。
冊子基材１０Ｂの天端１３・地端１４、および冊子基材１０Ｃの小口角部１５・１６の断裁を終えると、天地断裁刃３１Ａ・３１Ｂ・３１Ｃ、押え板３５、および、背部ストッパ３３は、上方に移動し、冊子１０ａは、搬送路４０によって下流に搬送される。
【００５４】
以上のように、冊子断裁装置１は、天地断裁刃３１Ａ・３１Ｂ・３１Ｃを備えるものである。
冊子断裁装置１に備わる天地断裁刃３１Ａ・３１Ｂ・３１Ｃにおける本体部３１Ａａ・３１Ｂａ・３１Ｃａは、略垂直に立設させた平板状の部材の下端部に本体刃部３１Ａｂ・３１Ｂｂ・３１Ｃｂを一体的に設けた構成となっている。天地断裁刃３１Ａ・３１Ｂ・３１Ｃにおける角処理部３１Ａｃ・３１Ｂｃ・３１Ｃｃは、その下端部に角処理刃部３１Ａｄ・３１Ｂｄ・３１Ｃｄを一体的に設けた構成となっている。そして、当該本体部３１Ａａ・３１Ｂａ・３１Ｃａの小口端側の端部に、一体的に設けられている。
このため、天地断裁刃３１Ａ・３１Ｂ・３１Ｃにて冊子基材１０Ｂにおける背部１１に対して略垂直方向に冊子基材１０Ｂが断裁されると、冊子基材１０Ｃの第一端部１３ａもしくは第二端部１４ａが形成されることとなる。そして、これと同時に、冊子基材１０Ｃの第一小口角部１５もしくは第二小口角部１６も、天地断裁刃３１Ａ・３１Ｂ・３１Ｃの角処理部３１Ａｃ・３１Ｂｃ・３１Ｃｃによって断裁され、冊子１０ａの第一断裁角１５ａもしくは第二断裁角１６ａが形成されることとなる。
したがって、別工程として冊子基材１０Ｃの小口角部１５・１６を断裁することなく、冊子基材１０Ｂ・１０Ｃを断裁する際の作業効率を良好なものとし、冊子基材１０Ｃの小口角部１５・１６を切り落した形状（冊子１０ａの断裁角１５ａ・１６ａ）にバラツキがなく、その精度を良好なものとすることができる。
【００５５】
冊子断裁装置１に備わる天地断裁刃３１Ａ・３１Ｂ・３１Ｃにおける角処理部３１Ａｃ・３１Ｂｃ・３１Ｃｃの他方の辺は、天端側もしくは地端側を向いているが、天端側もしくは地端側に長く延出するものではなく、第一小口角部１５もしくは第二小口角１６を断裁することができる程度に延出するものである。即ち、天地断裁刃３１Ａ・３１Ｂ・３１Ｃにおける角処理部３１Ａｃ・３１Ｂｃ・３１Ｃｃの天端もしくは地端方向は開放状態にあり、天地断裁刃３１Ａ・３１Ｂ・３１Ｃを備える冊子断裁装置１によって冊子基材１０Ｂ）を断裁しても、多くの小口部１２ａまでも断裁するものではない。
このため、冊子断裁装置１を用いて冊子基材１０Ｂ（１０Ｃ）を断裁すると、小口端１２のみ、天端１３のみ、もしくは、地端１４のみを断裁する際に近い状態で冊子基材１０Ｂ（１０Ｃ）を断裁することとなる。
したがって、天地断裁刃３１Ａ・３１Ｂ・３１Ｃの構成が、天端１３もしくは地端１４を断裁すると同時に小口角部１５・１６を断裁することができる構成であり、当該天地断裁刃３１Ａ・３１Ｂ・３１Ｃを備える冊子断裁装置１によって冊子基材１０Ｂ（１０Ｃ）を断裁する際においても、当該断裁時の冊子基材１０Ｂ（１０Ｃ）のシワや歪み等を防止して断裁不良を抑制することができる。
【００５６】
冊子断裁装置１においては、第一天地断裁刃３１Ａは天端側に配置され、第二天地断裁刃３１Ｂは地端側に且つ第一天地断裁刃３１Ａと略平行に配置され、第三天地断裁刃３１Ｃは第一天地断裁刃３１Ａと第二天地断裁刃３１Ｂとの間に且つ第一天地断裁刃３１Ａと第二天地断裁刃３１Ｂと略平行に配置される。
第一天地断裁刃３１Ａ、第二天地断裁刃３１Ｂ、および、第三天地断裁刃３１Ｃ、における刃部、即ち、本体刃部３１Ａａ・３１Ｂａ・３１Ｃａおよび角処理刃部３１Ａｄ・３１Ｂｄ・３１Ｃｄの高さは、それぞれ略同一の高さに配置されている。そして、第一天地断裁刃３１Ａ、第二天地断裁刃３１Ｂ、および、第三天地断裁刃３１Ｃによって、冊子基材１０Ｂ（１０Ｃ）を断裁する際においても、当該高さは保持されながら冊子基材１０Ｂ（１０Ｃ）は断裁される。
このため、一つの冊子基材１０を断裁して、複数の冊子１０ａをえる場合であっても、冊子基材１０Ｂ（１０Ｃ）の断裁時における冊子基材１０Ｂ（１０Ｃ）に及ぼす作用は、天地方向に極力均等に働くことととなり、断裁時における冊子基材１０Ｂ（１０Ｃ）のシワや歪み等を防止して断裁不良を抑制し、冊子基材１０Ｂ（１０Ｃ）を断裁する際の作業効率を良好なものとし、小口角部１５・１６の切り落し精度を良好なものとすることができる。
【００５７】
冊子断裁装置１は、小口断裁刃２１を備え、また、第一天地断裁刃３１Ａ、第二天地断裁刃３１Ｂ、２個の第三天地断裁刃３１Ｃを備えるものである。このため、冊子断裁装置１を用いて冊子基材１０Ｂ（１０Ｃ）を断裁することにより、３つの冊子１０ａをえることができる。
ただし、第三天地断裁刃３１Ｃを２個備えることに特に限定するものではない。
【００５８】
また、冊子断裁装置１に備わる天地断裁刃３１Ａ・３１Ｂの角処理部３１Ａｃ・３１Ｂｃは、平面視略四角形の一つの角を四分一円形に切り落した形状に構成されているが、当該切り落とした角の対角に位置する角は、切り落とされず、角処理部３１ｃに残存している。即ち、角処理部３１ｃは、当該残存部分が肉厚状に形成されている。第三天地断裁刃３１Ｃの角処理部３１Ｃｃは、第一天地断裁刃３１Ａの角処理部３１Ａｃと第二天地断裁刃３１Ｂの角処理部３１Ｂｃとを一体的に形成したものであり、肉厚状に形成されている。
このため、冊子断裁装置１を用いて冊子基材１０Ｂ（１０Ｃ）を断裁した際に発生する摩擦熱は、当該肉厚状の残存部分で拡散されるため、当該摩擦熱によって角処理部３１Ａｃ・３１Ｂｃ・３１Ｃｃが容易に変形することが抑制されることとなる。また、このように角処理部３１Ａｃ・３１Ｂｃ・３１Ｃｃを肉厚状に形成することにより、外力によっても角処理部３１Ａｃ・３１Ｂｃ・３１Ｃｃが容易に変形することが抑制されることとなる。
したがって、小口角部１５・１６の切り落し精度を良好な状態で断裁することができる期間、即ち、冊子断裁装置１に備わる天地断裁刃３１Ａ・３１Ｂ・３１Ｃの製品寿命を長期なものとすることができる。また、比較的硬い材質の冊子基材１０Ｂ（１０Ｃ）を、冊子断裁装置１を用いて断裁する際においても、小口角部１５・１６の切り落し精度を良好な状態とすることができる。
【００５９】
本発明に係る冊子製造方法の実施形態について、図６、図７、図８および図１１を用いて説明する。
本実形態における冊子製造方法は、一連の製造ラインによって当該冊子製造方法を行う場合についての例である。このため、本実形態における冊子製造方法は、図１１に示す如く、冊子基材搬送工程Ｓ１と、小口部形成工程Ｓ２と、第一・第二端部形成工程Ｓ３と、冊子搬送工程Ｓ４とからなるものである。
また、本実形態における冊子製造方法の、小口部形成工程Ｓ２と、第一・第二端部形成工程Ｓ３とは、冊子断裁装置１を用いて行うものである。このため、冊子断裁装置１における具体的構成についての説明を省略する。
【００６０】
冊子基材搬送工程Ｓ１について説明する。
冊子基材搬送工程Ｓ１は、冊子断裁装置１に冊子基材１０Ａを搬送する工程である。
具体的には、図６および図７に示す如く、冊子断裁装置１の上流側に配置される搬送ベルトを具備する搬送路の上に冊子基材１０Ａを載置して、当該冊子基材１０Ａを下流側に搬送する。
【００６１】
小口部形成工程Ｓ２について説明する。
小口部形成工程Ｓ２は、冊子基材１０Ａにおける小口端１２を断裁することによって、冊子１０ａの小口部１２ａを形成する工程である。
具体的には、冊子基材搬送工程Ｓ１で用いられる搬送路によって搬送される冊子基材１０Ａを、冊子断裁装置１における搬送路４０上に載置して、当該冊子基材１０Ａを下流側に搬送する。
そして、冊子断裁装置１の小口断裁部２０における、天地端ガイド２４によって冊子基材１０Ａの天地方向の位置決めが行われながら、上流側から下流側へ当該冊子基材１０Ａを搬送する。
背部ストッパ２３が下方に移動することにより、背部ストッパ２３と搬送する冊子基材１０Ａの背部１１とが当接し、冊子基材１０Ａの下流側への搬送は所定の位置で停止する。
押え板３５が下方に移動することにより、搬送が停止した冊子基材１０Ａを下方に押圧し、冊子基材１０Ａの位置を固定する。
小口断裁刃２１が下方に移動することにより、固定刃２２と小口断裁刃２１とで、搬送する冊子基材１０Ａの小口端１２を断裁する（図８参照）。
冊子基材１０Ａの小口端１２の断裁を終えると、小口断裁刃２１、押え板２５、および、背部ストッパ２３は、上方に移動し、冊子基材１０Ｂを、搬送路４０によって下流に搬送する。
【００６２】
第一・第二端部形成工程Ｓ３について説明する。
第一・第二端部形成工程Ｓ３は、冊子基材１０Ｂの背部１１に対して略垂直方向に冊子基材１０Ｂを断裁することによって、冊子１０ａの第一端部１３ａおよび第二端部１４ａを形成し、また、冊子基材１０Ｃの小口角部１５・１６を断裁する工程である。
【００６３】
具体的には、小口部形成工程Ｓ２をおえた冊子基材１０Ｂを、搬送路４０によって更に下流側に搬送する。
そして、冊子断裁装置１の天地断裁部３０において、天地端ガイド３４によって冊子基材１０Ｂの天地方向の位置決めを行いながら、冊子基材１０Ｂを上流側から下流側へ搬送する。
背部ストッパ３３が下方に移動することにより、背部ストッパ３３と搬送する冊子基材１０Ｂの背部１１とが当接し、冊子基材１０Ｂの下流側への搬送は所定の位置で停止する。
押え板３５が下方に移動することにより、搬送が停止した冊子基材１０Ｂを下方に押圧し、冊子基材１０Ｂの位置を固定する。
天地断裁刃３１Ａ・３１Ｂ・３１Ｃが下方に移動することにより、固定刃３２と天地断裁刃３１Ａ・３１Ｂ・３１Ｃとで、搬送される冊子基材１０Ｂの天端１３、地端１４、および天端１３と地端１４との間の所定の２箇所を断裁する。
天地断裁刃３１Ａ・３１Ｂ・３１Ｃにおける小口端側の端部には角処理部３１Ａｃ・３１Ｂｃ・３１Ｃｃが形成されているため、係る天端１３、地端１４、および天端１３と地端１４との間の所定の２箇所を断裁する際に、冊子基材１０Ｃの第一小口角部１５、および、第二小口角部１６も断裁する（図１０参照）。
冊子断裁装置１においては、第一天地断裁刃３１Ａ、第二天地断裁刃３１Ｂ、および、第三天地断裁刃３１Ｃ、における本体刃部３１Ａｂ・３１Ｂｂ・３１Ｃｂおよび角処理刃部３１Ａｄ・３１Ｂｄ・３１Ｃｄの高さは、それぞれ略同一の高さに配置されている。そして、第一・第二端部形成工程Ｓ３において、冊子基材１０Ｂ（１０Ｃ）の断裁を行う際には、第一天地断裁刃３１Ａ、第二天地断裁刃３１Ｂ、および、第三天地断裁刃３１Ｃにおける刃部の高さが、略同一の高さに保持されながら、冊子基材１０Ｂ（１０Ｃ）の断裁を行う（図９参照）。
冊子基材１０Ｂの天端１３・地端１４、および冊子基材１０Ｃの小口角部１５・１６の断裁を終えると、天地断裁刃３１Ａ・３１Ｂ・３１Ｃ、押え板３５、および、背部ストッパ３３は、上方に移動し、冊子１０ａを、搬送路４０によって下流に搬送する。
以上のようにして、第一・第二端部形成工程Ｓ３は、小口部１２ａと第一端部１４ａとがなす第一小口角部１５、もしくは、小口部１２ａと第二端部１４ａとがなす第二小口角部１６、を断裁する角処理部３１Ａｃ・３１Ｂｃ・３１Ｃｃを、小口端側の端部に形成した天地断裁刃３１Ａ・３１Ｂ・３１Ｃによって行われる。
【００６４】
冊子搬送工程Ｓ４について説明する。
冊子搬送工程Ｓ４は、冊子断裁装置１にて断裁された冊子１０ａを下流側に搬送する工程である。
具体的には、冊子断裁装置１の下流側に配置された、搬送ベルトを具備する搬送路の上に、断裁された冊子１０ａを載置して、下流側に冊子１０ａを搬送する（図６および図７参照）。
【００６５】
以上のように、本実施形態に係る冊子製造方法は、冊子断裁装置１を用いて冊子基材１０の断裁を行うものである。
本実施形態に係る冊子製造方法に用いる、冊子断裁装置１に備わる天地断裁刃３１Ａ・３１Ｂ・３１Ｃにおける本体部３１Ａａ・３１Ｂａ・３１Ｃａは、略垂直に立設させた平板状の部材の下端部に本体刃部３１Ａｂ・３１Ｂｂ・３１Ｃｂを一体的に設けた構成となっている。天地断裁刃３１Ａ・３１Ｂ・３１Ｃにおける角処理部３１Ａｃ・３１Ｂｃ・３１Ｃｃは、その下端部に角処理刃部３１Ａｄ・３１Ｂｄ・３１Ｃｄを一体的に設けた構成となっている。そして、当該本体部３１Ａａ・３１Ｂａ・３１Ｃａの小口端側の端部に、一体的に設けられている。
このため、天地断裁刃３１Ａ・３１Ｂ・３１Ｃにて冊子基材１０Ｂにおける背部１１に対して略垂直方向に冊子基材１０Ｂを断裁すると、冊子基材１０Ｃの第一端部１３ａもしくは第二端部１４ａを形成することとなる。そして、これと同時に、冊子基材１０Ｃの第一小口角部１５もしくは第二小口角部１６も、天地断裁刃３１Ａ・３１Ｂ・３１Ｃの角処理部３１Ａｃ・３１Ｂｃ・３１Ｃｃによって断裁し、冊子１０ａの第一断裁角１５ａもしくは第二断裁角１６ａを形成することとなる。
したがって、別工程として冊子基材１０Ｃの小口角部１５・１６を断裁することなく、冊子基材１０Ｂ・１０Ｃを断裁する際の作業効率を良好なものとし、冊子基材１０Ｃの小口角部１５・１６を切り落した形状（冊子１０ａの断裁角１５ａ・１６ａ）にバラツキがなく、その精度を良好なものとすることができる。
【００６６】
実施形態に係る冊子製造方法に用いる、冊子断裁装置１に備わる天地断裁刃３１Ａ・３１Ｂ・３１Ｃにおける角処理部３１Ａｃ・３１Ｂｃ・３１Ｃｃの他方の辺は、天端側もしくは地端側を向いているが、天端側もしくは地端側に長く延出するものではなく、第一小口角部１５もしくは第二小口角１６を断裁することができる程度に延出するものである。い。即ち、天地断裁刃３１Ａ・３１Ｂ・３１Ｃにおける角処理部３１Ａｃ・３１Ｂｃ・３１Ｃｃの天端もしくは地端方向は開放状態にあり、天地断裁刃３１Ａ・３１Ｂ・３１Ｃを備える冊子断裁装置１によって冊子基材１０Ｂ（１０Ｃ）を断裁しても、多くの小口端１２までも断裁するものではない。
このため、冊子断裁装置１を用いて冊子基材１０Ｂ（１０Ｃ）を断裁すると、小口端１２のみ、天端１３のみ、もしくは、地端１４のみを断裁する際に近い状態で冊子基材１０Ｂ（１０Ｃ）を断裁することとなる。
したがって、天地断裁刃３１Ａ・３１Ｂ・３１Ｃの構成が、天端もしくは地端を断裁すると同時に小口角部１５・１６を断裁することができる構成であり、当該天地断裁刃３１Ａ・３１Ｂ・３１Ｃを備える冊子断裁装置１によって冊子基材１０Ｂ（１０Ｃ）を断裁する際においても、当該断裁時の冊子基材１０Ｂ（１０Ｃ）のシワや歪み等を防止して断裁不良を抑制することができる。
【００６７】
本実形態に係る冊子製造方法に用いる、冊子断裁装置１においては、第一天地断裁刃３１Ａは、天端側に配置され、第二天地断裁刃３１Ｂは、地端側に、且つ、第一天地断裁刃３１Ａと略平行に配置され、第三天地断裁刃３１Ｃは、第一天地断裁刃３１Ａと第二天地断裁刃３１Ｂとの間に、且つ、第一天地断裁刃３１Ａと第二天地断裁刃３１Ｂと略平行に配置される。
第一天地断裁刃３１Ａ、第二天地断裁刃３１Ｂ、および、第三天地断裁刃３１Ｃ、における刃部、即ち、本体刃部３１Ａｂ・３１Ｂｂ・３１Ｃｂおよび角処理刃部３１Ａｄ・３１Ｂｄ・３１Ｃｄの高さは、略同一の高さに配置されている。そして、第一天地断裁刃３１Ａ、第二天地断裁刃３１Ｂ、および、第三天地断裁刃３１Ｃによって、冊子基材１０Ｂ（１０Ｃ）を断裁する際においても、当該高さは保持されながら冊子基材１０Ｂ（１０Ｃ）は断裁される。
このため、一つの冊子基材１０を断裁して、複数の冊子１０ａをえる場合であっても、冊子基材１０Ｂ（１０Ｃ）の断裁時における冊子基材１０Ｂ（１０Ｃ）に及ぼす作用は天地方向に極力均等に働くことととなり、断裁時における冊子基材１０Ｂ（１０Ｃ）のシワや歪み等を防止して断裁不良を抑制し、冊子基材１０Ｂ（１０Ｃ）を断裁する際の作業効率を良好なものとし、小口角部１５・１６の切り落し精度を良好なものとすることができる。
【００６８】
本実施形態に係る冊子製造方法に用いる、冊子断裁装置１は、小口断裁刃２１を備え、また、第一天地断裁刃３１Ａ、第二天地断裁刃３１Ｂ、２個の第三天地断裁刃３１Ｃを備えたものである。このため、冊子断裁装置１を用いて冊子基材１０を断裁することにより、３つの冊子１０ａをえることができる。
ただし、第三天地断裁刃３１Ｃを２個備えることに特に限定するものではない。
【００６９】
また、本実施形態に係る冊子製造方法に用いる、冊子断裁装置１に備わる天地断裁刃３１Ａ・３１Ｂの角処理部３１Ａｃ・３１Ｂｃは、平面視略四角形の一つの角を四分一円形に切り落した形状に構成されているが、当該切り落とした角の対角に位置する角は、切り落とされず、角処理部３１Ａｃ・３１Ｂｃに残存している。即ち、角処理部３１Ａｃ・３１Ｂｃは、当該残存部分が肉厚状に形成されている。第三天地断裁刃３１Ｃの角処理部３１Ｃｃは、第一天地断裁刃３１Ａの角処理部３１Ａｃと第二天地断裁刃３１Ｂの角処理部３１Ｂｃとを一体的に形成したものであり、肉厚状に形成されている。
このため、冊子断裁装置１を用いて冊子基材１０Ｂ（１０Ｃ）を断裁した際に発生する摩擦熱は、当該肉厚状の残存部分で拡散されるため、当該摩擦熱によって角処理部３１Ａｃ・３１Ｂｃが容易に変形することが抑制されることとなる。また、このように角処理部３１Ａｃ・３１Ｂｃ・３１Ｃｃを肉厚状に形成することにより、外力によっても角処理部３１Ａｃ・３１Ｂｃ・３１Ｃｃが容易に変形することが抑制されることとなる。
したがって、小口角部１５・１６の切り落し精度を良好な状態で断裁することができる期間、即ち、冊子断裁装置１に備わる天地断裁刃３１Ａ・３１Ｂ・３１Ｃの製品寿命を長期なものとすることができる。また、比較的硬い材質の冊子基材１０Ｂ（１０Ｃ）を、冊子断裁装置１を用いて断裁する際においても、小口角部１５・１６の切り落し精度を良好な状態とすることができる。
【００７０】
図５に示す如く、第三天地断裁刃３１Ｃにおける本体刃部３１Ｃｂの逆Ｖ字状に形成されている部分に、ウレタンスポンジ等のような弾性部材や伸縮部材を設けた構成となっている。このように構成することで、冊子基材１０Ｂ（１０Ｃ）を断裁した際に当該逆Ｖ字状部分に断裁クズが挟まるような場合であっても、前記ウレタンスポンジ等によって、当該逆Ｖ字状部分から断裁クズを除去することができる。
したがって、第三天地断裁刃３１Ｃにおける本体刃部３１Ｃｂの逆Ｖ字状に形成されている部分への断裁クズの挟まりを防止することができ、また、生産効率が低下するような事態を防止することができる。
【図面の簡単な説明】
【００７１】
【図１】（ａ）は冊子基材を示した斜視図、（ｂ）は冊子基材を示した斜視図。
【図２】（ａ）は冊子基材を示した斜視図、（ｂ）は冊子を示した斜視図。
【図３】（ａ）は本発明に係る天地断裁刃の実施形態を示した上方斜視図、（ｂ）は本発明に係る天地断裁刃の実施形態を示した下方斜視図。
【図４】（ａ）は本発明に係る天地断裁刃の実施形態を示した上方斜視図、（ｂ）は本発明に係る天地断裁刃の実施形態を示した下方斜視図。
【図５】（ａ）は本発明に係る天地断裁刃の実施形態を示した上方斜視図、（ｂ）は本発明に係る天地断裁刃の実施形態を示した下方斜視図。
【図６】本発明に係る冊子断裁装置の実施形態を示した平面模式図。
【図７】本発明に係る冊子断裁装置の実施形態を示した側面模式図。
【図８】（ａ）は小口断裁刃を用いて冊子基材を断裁する状態を示した斜視模式図、（ｂ）は小口断裁刃を用いて冊子基材を断裁した状態を示した斜視模式図。
【図９】（ａ）は本発明の実施形態に係る天地断裁刃を用いて冊子基材を断裁する状態を示した斜視模式図、（ｂ）は本発明の実施形態に係る天地断裁刃を用いて冊子基材を断裁する状態を示した斜視模式図、（ｃ）は本発明の実施形態に係る天地断裁刃を用いて冊子基材を断裁した状態を示した斜視模式図。
【図１０】（ａ）は本発明の実施形態に係る天地断裁刃を用いて冊子基材を断裁する状態を示した正面模式図、（ｂ）は本発明の実施形態に係る天地断裁刃を用いて冊子基材を断裁する状態を示した正面模式図。
【図１１】本発明の実施形態に係る冊子製造方法のフロー図。
【符号の説明】
【００７２】
１    冊子断裁装置
１０    冊子基材
１１    背部
１２    小口端
１５    第一小口角部
１６    第二小口角部
１０ａ    冊子
１２ａ    小口部
１３ａ    第一端部
１４ａ    第二端部
１５ａ    第一断裁角
１６ａ    第二断裁角
３１    天地断裁刃
３１ｄ    本体刃部
３１ｂ    角処理刃部
３１Ａ    第一天地断裁刃
３１Ｂ    第二天地断裁刃
３１Ｃ    第三天地断裁刃
【図１】
2010110854.tif 000003
【図２】
2010110854.tif 000004
【図３】
2010110854.tif 000005
【図４】
2010110854.tif 000006
【図５】
2010110854.tif 000007
【図６】
2010110854.tif 000008
【図７】
2010110854.tif 000009
【図８】
2010110854.tif 000010
【図９】
2010110854.tif 000011
【図１０】
2010110854.tif 000012
【図１１】
2010110854.tif 000013